(57)【要約】【課題】生分解材料を使用したパーティションの提案である。【解決手段】パーティションの部材に生分解性材料にて形成した部材を使用することを最も主要な特徴とする。【選択図】図１
2005344445.tif 000002
【特許請求の範囲】
【請求項１】
ポリ乳酸を主たる原料とする生分解性材料から形成した部材を使用した事を特徴とする生分解性パーティション。
【請求項２】
生分解性樹脂、または生分解性発泡体、または生分解性繊維の圧縮パネル、または生分解性樹脂と木粉を混合した部代を使用した事を特徴とする生分解性パーティション。
【請求項３】
生分解性樹脂と木粉とを混合した生分解材料を使用した形成物に対し、該形成物の表面を研磨することによって、該形成物の表面に種々の模様および種々の凹凸手触りを付け光沢を変えた生分解樹脂形成物を使用したことを特徴とする生分解性パーティション。
【請求項４】
形成するための金型に対し、金型の表面をエッチング加工することにより種々の模様および種々の凹凸を施し、該金型にて生分解性樹脂と木粉とを混合した生分解材料を使用し形成した形成物を得て、該金型のエッチング加工により付与した模様および種々の凹凸が形成された該形成物表面を研磨することによって、該形成物の表面に種々の模様および種々の凹凸手触りを付け光沢を変えた生分解樹脂形成物を使用したことを特徴とする生分解性パーティション。
【発明の詳細な説明】
【技術分野】
【０００１】
本発明は、生分解性材料を使用したパーティションに関するものであり、さらに詳しくは、成形性に優れ、環境に優しいパーティションおよびその効率的な製造方法に関するものである。
【背景技術】
【０００２】
近年、エコ分野への要求が高まり、地球に優しい生分解材料へニーズが大幅に増加している。現在、多くのパーティションに使用されている材料は金属および化石燃料から形成したプラスチック材料である。場合により木材が使用される場合もあるが、積極的な生分解材料の提案はされていなかった。
【０００３】
本件の発明者は、特願２００３−１６９８９４にて生分解性発泡体において、発泡体の従来の機能を有しつつ、成形された状態から部分的にも断裂分離しにくい生分解性発泡体を説明している。
【０００４】
また、特願２００４−１２９９８９において、生分解性樹脂と木粉との混合材料を使用した形成物の表面に種々の凹凸手触りを付け、木目模様に近い形成物を提供する手段を説明している。
【特許文献１】特願２００３−１６９８９４、特願２００４−１２９９８９
【発明の開示】
【発明が解決しようとする課題】
【０００５】
解決しようとする課題は、生分解材料を使用したパーティションの提案である。
【課題を解決するための手段】
【０００６】
本発明は、パーティションの部材に生分解性材料にて形成した部材を使用することを最も主要な特徴とする。
【発明の効果】
【０００７】
本発明の生分解性パーティションは、設置時は、従来パーティションと変わらないが、パーティション廃棄時に大きな効果を発揮する。すなわち生分解材料としての特性である焼却処分時に高温を必要としない。土壌の埋没した場合、バクテリアによる侵食分解、加水分解等により自然回帰するという利点がある。
【発明を実施するための最良の形態】
【０００８】
簡易軽量移動式パーティションの場合、パネル部材に板状に形成した生分解性発泡体を使用し、パネルを嵌着する接続部材にも嵌着部を持つように形成した生分解性発泡体を使用する。このことにより、簡易軽量移動式の生分解性パーティションを実現する。
【０００９】
また、高級志向のパーティションの場合、パネル部材には生分解性樹脂と木粉との混合材料を板状に形成した生分解性材料を使用し、パネルを嵌着する接続部材にも生分解性樹脂と木粉との混合材料から嵌着部を持つように形成した生分解性材料を使用する。生分解性樹脂と木粉との混合材料から形成した生分解性部材の表面には木目を施すことにより、高級志向の生分解性パーティションを実現する。
【実施例１】
【００１０】
パーティションのパネル部材には、生分解性発泡体の板状に形成したパネル１を使用する。パネル１は射出成形にて形成する場合、金型の加工によって、図案、模様、文言、マーク等が付いたパネル１を形成することもできる。図４に実施例を示す。また生分解性繊維または糸・ネットをインサート成形することによって、パネル１の強度アップを計ることも可能である。
【００１１】
さらにパネル１には、生分解性繊維から板状に形成した圧縮綿のパネル１を使用する場合もある。また、生分解性樹脂と木粉との混合材料を板状に形成し、木製パネルに似せたパネル１を使用する場合もある。
【００１２】
図１に示す実施例１のパネル１は、パネルを嵌着する溝３を配した柱２にて接続される。柱２には一ヶ所以上の溝３が配されている。溝３の数、角度は多様である。
【００１３】
柱２は、生分解性発泡体にて形成する。形状はゴシック建築に似せた柱、丸柱、各柱等成形金型によって対応が可能である。
【００１４】
パーティションが図１のように曲がっている場合、全体としては倒れに対し安定しやすいが、一枚の単品で直立する場合、柱２には倒れ防止のリブ状部材を一体形成または組み付けする場合もある。
【００１５】
図４に示す実施例では、柱２に対し、下部台座柱４、上部勘合柱５を組み付けている。下部台座柱４、上部勘合柱５には勘合溝３が配されており、パネル１を保持している状態を示している。
【００１６】
柱２も、生分解性樹脂と木粉との混合材料を柱状に形成し、木製柱に似せる場合もある。
【００１７】
パーティションの部材全体を３０倍発泡の生分解性発泡体にて形成した場合、発泡体の比重は０．０３程度となり、材料重量を極めて軽くすることができる。この事は、搬入搬出効率を上げるとともに、パーティション設置時及び、使用時のパーティションの倒れ等による怪我を防止する事にもつながる。
【００１８】
実施例では、生分解性発泡体にて説明しているが、生分解性繊維を圧縮しパネル１を形成し、パネル部材に使用する場合もある。
【００１９】
さらに、生分解性樹脂と木粉を混合し形成した生分解性材料に対し、形成した部材の表面を研磨することによって、表面に種々の模様および種々の凹凸手触りを付与し光沢を変え、木目模様に近い生分解樹脂形成物をパネル１または柱２に使用する場合もある。
【００２０】
パーティションを廃棄する場合、生分解材料を使用しているため、焼却処分、埋立地への廃棄処分等において、従来の金属及び化石燃料から形成したプラスチック等を使用したパーティションに比較し、地球に優しい廃棄処分が可能となる。
【産業上の利用可能性】
【００２１】
簡易軽量移動式パーティションの場合、催事場、産業展等で臨時または、短い期間のみ設置する間仕切り用途に向いている。また、会社の受付、来客室、打合せコーナー、部屋の間仕切り、デスクワークの事務所に於けるデスク間の間仕切り等の場合は、高級志向の木目を付けたパーティションでの用途の可能性が高い。
【図面の簡単な説明】
【００２２】
【図１】生分解性発泡体による簡易パーティションの斜視図である。（実施例１）
【図２】生分解性発泡体による簡易パーティションのパネル部材の斜視図である。（実施例１）
【図３】生分解性発泡体による簡易パーティションの柱部材の斜視図である。（実施例１）
【図４】生分解性発泡体による簡易パーティションの斜視図である。（実施例２）
【図５】生分解性発泡体による簡易パーティションの斜視図である。（実施例３）
【符号の説明】
【００２３】
１    パネル
２    柱
３    勘合溝
４    下部台座柱
５    上部勘合柱
【図１】
2005344445.tif 000003
【図２】
2005344445.tif 000004
【図３】
2005344445.tif 000005
【図４】
2005344445.tif 000006
【図５】
2005344445.tif 000007